(57)【特許請求の範囲】
【請求項１】
２つのポットバーナに１つの油面調節器から燃油を供給するもので、該油面調節器の油面は２つのポットバーナの最下方の空気孔より低い一定油面とし、更に第１ポットバーナと油面調節器を連通する第１送油路は、途中に第１ポットバーナの空気室と油面調節器とを連通した加圧パイプから分岐した立ち上げ管を備え、この立ち上げ管に油面調節器内の燃油を汲み上げる第１電磁ポンプの供給管を連通して、更に第１送油路の端部は油面調節器の一定油面上で、第１ポットバーナの最下方の空気孔より低い位置に開口し、第１ポットバーナへの自然落差で燃油を供給するものであり、更に第２ポットバーナと油面調節器とは、第２電磁ポンプと噴射ノズルを備えた第２送油路で連通され、第２電磁ポンプによって燃油が圧送供給されるものであり、前記第１送油路には燃焼停止時、該第１送油路内の残油を吸引し、油面調節器の一定油面より高い位置に戻す第１吸引ポンプを備えると共に、第２送油路には燃焼停止時、該第２送油路内の残油を吸引し、油面調節器の一定油面中に戻す第２吸引ポンプを備えた事を特徴とする燃焼装置。
【発明の詳細な説明】
【０００１】
【発明の属する技術分野】
この発明は、燃油を燃料とする２つのポットバーナを備えた燃焼装置に関するものである。
【０００２】
【従来の技術】
従来よりこの種のものに於いては、例えば実用新案登録第2563441号公報に開示されている如く、２つのポットバーナを備え油面調節器の一定油面を各ポットバーナに形成された最下方の空気孔より低い位置とすることで、不着火時で燃油が供給され続けてもこの空気孔から燃油が溢れることを防止することが出来るものであった。
【０００３】
【発明が解決しようとする課題】
ところでこの従来のものでは、燃焼を停止しても各送油路に残っている燃油が燃焼し続け、消火時間が長くなり、いつまでたっても消火しないと言う問題点を有するものであった。
【０００４】
【課題を解決するための手段】
この発明はこの点に着目し上記欠点を解決する為、特にその構成を、２つのポットバーナに１つの油面調節器から燃油を供給するもので、該油面調節器の油面は２つのポットバーナの最下方の空気孔より低い一定油面とし、更に第１ポットバーナと油面調節器を連通する第１送油路は、途中に第１ポットバーナの空気室と油面調節器とを連通した加圧パイプから分岐した立ち上げ管を備え、この立ち上げ管に油面調節器内の燃油を汲み上げる第１電磁ポンプの供給管を連通して、更に第１送油路の端部は油面調節器の一定油面上で、第１ポットバーナの最下方の空気孔より低い位置に開口し、第１ポットバーナへの自然落差で燃油を供給するものであり、更に第２ポットバーナと油面調節器とは、第２電磁ポンプと噴射ノズルを備えた第２送油路で連通され、第２電磁ポンプによって燃油が圧送供給されるものであり、前記第１送油路には燃焼停止時、該第１送油路内の残油を吸引し、油面調節器の一定油面より高い位置に戻す第１吸引ポンプを備えると共に、第２送油路には燃焼停止時、該第２送油路内の残油を吸引し、油面調節器の一定油面中に戻す第２吸引ポンプを備えたものである。
【０００５】
【発明の実施の形態】
第１電磁ポンプ８への通電をＯＦＦして第１ポットバーナ１の燃焼を停止させると共に、第１吸引ポンプ１２を短時間駆動させれば、第１ポットバーナ１近傍第１送油路４内の燃油は、油面調節器３内の一定油面Ａより高い位置に戻される。
【０００６】
又、第２電磁ポンプ１４への通電をＯＦＦして第２ポットバーナ２の燃焼を停止させると共に、第２吸引ポンプ１７を短時間駆動させれば、第２ポットバーナ２近傍の噴射ノズル１５や第２送油路１３内の燃油は、油面調節器３内の一定油面Ａ中に戻されるものである。
【０００７】
従って、２つのポットバーナ１、２中のどちらを燃焼停止しても、残油が燃焼し続けて消火時間が長くなることがなく、消火時間を短縮することが出来ると共に、第１吸引ポンプ１２からの残油の戻しは、油面調節器３の一定油面Ａより高い位置で、一定油面Ａの圧力が加えられることがない位置であるので、スムーズに燃油を戻すことが出来るのであり、又第２吸引ポンプ１７の残油の戻しは、油面調節器３の一定油面Ａ中であるが、第２電磁ポンプ１４で加圧されていた燃油であるから、勢い良く戻されても燃油の流出音を極力小さくすることが出来、使用者に不快感を与える心配もないものである。
【０００８】
【実施例】
次に、この発明に係る燃焼装置を図面に示された一実施例で説明する。
１は有底筒状で周壁には複数個の空気孔（図示せず）を有する第１ポットバーナで、燃焼熱で温水等の熱媒体を加熱して床暖房等を行う熱源を構成するものである。
【０００９】
２は有底筒状で周壁には複数個の空気孔（図示せず）を有する第２ポットバーナで、燃焼熱による輻射暖房で室内の暖房を行うものである。
【００１０】
３は内方にフロート弁（図示せず）を備え常に燃油を、第１ポットバーナ１の底部よりは高く且つ最下方の空気孔よりは低く設定すると共に、第２ポットバーナ２よりは低い位置の一定油面Ａに保持し、各ポットバーナ１、２に適宜燃油を供給する油面調節器である。
【００１１】
４は第１ポットバーナ１と油面調節器３とを連通する第１送油路で、途中には第１ポットバーナ１外周の空気室５と油面調節器３とを連通した加圧パイプ６から分岐した立上げ管７が備えられ、この立上げ管７に油面調節器３内の燃油を汲み上げる第１電磁ポンプ８の供給管９が連結され、第１ポットバーナ１には第１送油路４から自然落差で燃油が供給されるものであり、又加圧パイプ６によって油面調節器３内及び第１送油路４は、第１ポットバーナ１内と同圧状態となり、突風、逆風時でも燃油の供給がスムーズに行えるものである。
【００１２】
１０は第１送油路４端部で、油面調節器３内で一定油面Ａより立上がり第１ポットバーナ１の最下方の空気孔より低いので開口した戻し管で、第１ポットバーナ１の不着火で燃油が該第１ポットバーナ１内にたまっても、最下方の空気孔より漏れる前にこの戻し管１０から油量調節器３に戻すようにしたものである。
【００１３】
１１は第１送油路４と油面調節器３内の一定油面Ａより高い位置とを連通した第１吸引路で、途中には第１ポットバーナ１の燃焼停止時に駆動開始し第１送油路４内の油面を吸引し油面調節器３に戻す第１吸引ポンプ１２が備えられている。
【００１４】
１３は第２ポットバーナ２と油面調節器３とを連通する第２送油路で、第２電磁ポンプ１４で吸引した燃油を第２ポットバーナ２側の噴射ノズル１５で該第２ポットバーナ２に噴射して供給する圧送供給を行うものである。
【００１５】
１６は第２送油路１３と油面調節器３内の一定油面Ａ中とを連通した第２吸引路で、途中には第２ポットバーナ２の燃焼停止時に駆動開始し第２送油路１３内の残油を吸引し油面調節器３の一定油面Ａ中に戻す第２吸引ポンプ１７が備えられている。
【００１６】
更に第１吸引ポンプ１２と第２吸引ポンプ１７とは、油面調節器３上面から延設された取付板１８の上下に備えられ、設置スペースを取ることなくコンパクトに備えられているものである。
【００１７】
次にこの一実施例の作動について説明する。
今第１ポットバーナ１を燃焼させる為に、第１電磁ポンプ８を駆動させれば、油面調節器３から汲み上げられた燃油は、立上げ管７から第１送油路４介して落差で第１ポットバーナ１に供給され、そして燃焼ファン（図示せず）からの燃焼空気と適宜点火手段（図示せず）で着火され、燃焼が開始されるものである。
【００１８】
一方第２ポットバーナ２を燃焼させる為に、第２電磁ポンプ１４を駆動開始すれば、油面調節器３から汲み上げられた燃油は、第２送油路１３を介して噴射ノズル１５から噴射され、燃焼ファン（図示せず）から供給される燃焼空気と予混合し適宜点火手段（図示せず）で着火され、燃焼が開始されるものである。
【００１９】
更に負荷や手動、自動による火力調整で燃焼量の増減が行われ、良好な床暖房や室内の輻射暖房が行われるものである。
【００２０】
次に各ポットバーナ１、２の燃焼停止時の作動状態は、先ず第１電磁ポンプ８への通電をＯＦＦして第１ポットバーナ１の燃焼を停止させると共に、第１吸引ポンプ１２を短時間駆動させれば、第１ポットバーナ１近傍第１送油路４内の燃油は、油面調節器３内の一定油面Ａより高い位置に戻される。
【００２１】
又、第２電磁ポンプ１４への通電をＯＦＦして第２ポットバーナ２の燃焼を停止させると共に、第２吸引ポンプ１７を短時間駆動させれば、第２ポットバーナ２近傍の噴射ノズル１５や第２送油路１３内の燃油は、油面調節器３内の一定油面Ａ中に戻されるものである。
【００２２】
従って、２つのポットバーナ１、２中のどちらを燃焼停止しても、残油が燃焼し続けて消火時間が長くなることがなく、消火時間を短縮することが出来ると共に、第１吸引ポンプ１２からの残油の戻しは、油面調節器３の一定油面Ａより高い位置で、一定油面Ａの圧力が加えられることがない位置であるので、スムーズに燃油を戻すことが出来るのであり、又第２吸引ポンプ１７の残油の戻しは、油面調節器３の一定油面Ａ中であるが、第２電磁ポンプ１４で加圧されていた燃油であるから、勢い良く戻されても燃油の流出音を極力小さくすることが出来、使用者に不快感を与える心配もないものである。
【００２３】
【発明の効果】
以上のようにこの発明によれば、２つのポットバーナのそれぞれの消火時間を確実に短縮することが出来、安心して使用出来ると共に、再点火も容易に行われるものであり、更に各送油方式に応じた油面調節器への戻り位置が決められているので、残油の戻しもスムーズで効率良く行え、戻し不良や騒音と言う不具合の発生もないものである。
【図面の簡単な説明】
【図１】この発明一実施例を付した燃焼装置の概略説明図。
【符号の説明】
１  第１ポットバーナ
２  第２ポットバーナ
３  油面調節器
４  第１送油路
５  空気室
６  加圧パイプ
７  立上げ管
８  第１電磁ポンプ
９  供給管
１０  戻し管
１２  第１吸引ポンプ
１３  第２送油路
１４  第２電磁ポンプ
１５  噴射ノズル
１７  第２吸引ポンプ
Ａ  一定油面
【図１】
0003869612.tif 000002